(57)【要約】【目的】  患者を確実に支持して製作経費が安価で、安全に温浴治療を施せる足受け付き全身浴装置を提供することにある。【構成】  全身浴装置（１）において、浴槽（２）内の底部に複数段の足受け（１５）を設け、数段の足受け（１５）は、浴槽（２）の底壁を、断面視三角形状の山形突起（２８）を浴槽左右方向に成形し、該山形突起（２８）を浴槽前後方向に複数個連続させて成形してなり、枕（２３）は、上方へ延長した背凭れ壁（７ｄ）に連なり浴槽（２）の後部上部に側面視山形に突起してなる足受け付き全身浴装置である。  【選択図】      図１
2005052518.tif 000002
【特許請求の範囲】
【請求項１】
全身浴装置（１）において、浴槽（２）内の底部に複数段の足受け（１５）を設けることを特徴とする足受け付き全身浴装置。
【請求項２】
複数段の足受け（１５）は、浴槽（２）の底壁を、断面視三角形状の山形突起（２８）を浴槽左右方向に成形し、該山形突起（２８）を浴槽前後方向に複数個連続させて成形してなることを特徴とする請求項１記載の足受け付き全身浴装置。
【請求項３】
複数段の足受け（１５）は、浴槽（２）の底壁上に、頂部が断面視逆Ｕ字形状の突起条（２２）を浴槽左右方向に形成し、該突起条（２２）を浴槽前後方向に複数個適宜な間隔をあけて突設してなることを特徴とする請求項１記載の足受け付き全身浴装置。
【請求項４】
全身浴装置（１）において、枕（２３）は、上方へ延長した背凭れ壁（７ｄ）に連なり浴槽（２）の後部上部に側面視山形に突起してなることを特徴とする足受け付き全身浴装置。
【発明の詳細な説明】
【技術分野】
【０００１】
本発明は、身体の上下肢に障害や疾病を持つ者（以下患者という）の上下肢部分を温浴するための足受け付き全身浴装置に関する。
【背景技術】
【０００２】
従来の技術として挙げた下記特許文献には、浴槽、圧力水発生装置、脈動発生装置、水力按摩孔、タイマー、時間制御ユニット等からなる水力按摩装置が開示されている。
【特許文献１】特公平８−２４７０１号
【発明の開示】
【発明が解決しようとする課題】
【０００３】
前記特許文献に開示された水力按摩装置には、握りこぶし大の圧力温水によってマッサージを施すことができるが、浴槽の底部に足受けが設けられていないので、患者が浴槽内にずり落ちる危険があった。
本発明の目的は、上記難点を解決したものであり、患者を確実に支持して製作経費が安価で、安全に温浴治療を施せる足受け付き全身浴装置を提供することにある。
【課題を解決するための手段】
【０００４】
本発明は、全身浴装置（１）において、浴槽（２）内の底部に複数段の足受け（１５）を設けることを特徴とする足受け付き全身浴装置である。
又、複数段の足受け（１５）は、浴槽（２）の底壁を、頂部が断面視三角形状の山形突起（２８）を浴槽左右方向に成形し、該山形突起（２８）を浴槽前後方向に複数個連続させて成形してなる。
或いは、複数段の足受け（１５）は、浴槽（２）の底壁上に、逆Ｕ字形状の突起条（２２）を浴槽左右方向に形成し、該突起条（２２）を浴槽前後方向に複数個適宜な間隔をあけて突設してなる。
又、全身浴装置（１）において、枕（２３）は、上方へ延長した背凭れ壁（７ｄ）に連なり浴槽（２）の後部上部に側面視山形に突起してなる。
【発明の効果】
【０００５】
本発明は、全身浴装置１において、浴槽２内の底部に複数段の足受け１５を設けたものであるから、患者が、浴槽２内へずり落ちないように、個人差に合わせて最適な足受け１５に容易に足を当てることができ、患者が浴槽２内へのずり落ちるのを防止でき安全であり、好都合である。
【０００６】
本発明に係る複数段の足受け１５は、浴槽２の底壁を、断面視三角形状の山形突起２８を浴槽左右方向に成形し、該山形突起２８を浴槽前後方向に複数個連続させて成形してなるから、複数の山形突起２８が階段形態になっており、患者は選択し最適な足受け１５へ足を当て易く、容易に身体を安定に確保でき、又、底壁を足受け１５に成形したので製作経費を削減でき、更に、簡素な構成とすることができ、好都合である。
【０００７】
本発明に係る複数段の足受け１５は、浴槽２の底壁上に、逆Ｕ字形状の突起条２２を浴槽左右方向に形成し、該突起条２２を浴槽前後方向に複数個適宜な間隔をあけて突設してなるから、患者は、選択した最適位置の突起条２２に足裏の土踏まず部分を当て、身体を安定に確実に確保でき、好都合である。
【０００８】
本発明に係る枕２３は、浴槽２の側壁を、浴槽２の後部上部にて上方に側面視山形に成形してなるから、枕２３を別個に製作しなくてよくコストダウンとなり、浴槽２に枕２３を取り付ける構成も設けなくてもよく、浴槽２の構成が簡素になり保守も簡略となり、好都合である。
【発明を実施するための最良の形態】
【０００９】
全身浴装置１において、浴槽２の底部に複数段の足受け１５を設ける。
足受け１５は、患者が足を当て身体を支え、身体が浴槽２にずり落ちるのを防ぐ。患者は、複数段の足受け１５の内に最適な一つを選択して足を当てる。
複数段の足受け１５は、浴槽２の底壁を、断面視三角形状の山形突起２８を浴槽左右方向に成形し、該山形突起２８を浴槽前後方向に複数個連続させて成形してなる。
【００１０】
枕２３は、浴槽２の背凭れ壁７ｄを、浴槽２の後部上部にて上方に側面視山形の突起を浴槽左右方向に延長して設けてなる。枕２３は、患者の頭を安定に支える。
【実施例１】
【００１１】
全身浴装置１における浴槽２は略直方体形状であり、平面視では、前・後辺は円弧形状である。浴槽２の前部上部にメインパネル３、噴流量調節バルブ４及び給湯用ホース差込み口５が設けられる。浴槽２の前部下部にブロアー６が内蔵される。
【００１２】
浴槽２の中央部には入浴用の湯を溜める内槽７が設けられる。浴槽２の前後方向における略中央部に、浴槽２上縁面より上方に、浴槽２の左右に亘って手摺り部８が設けられる。浴槽２の後部上部には強制排水バルブツマミ９が設けられる。浴槽２の後部下部には循環ポンプ１０が内蔵される。
【００１３】
浴槽２の下面には、浴槽２を移動させるキャスター１１が設けられ、更に、浴槽２を移動させた後に、浴槽２を固定状に支持するアジャスター１２が進退可能に設けられる。浴槽２の下面の下方に自然排水バルブ１３、気泡排水バルブ１４が設けられる。
【００１４】
内槽７の底部に複数段の足受け１５を設ける。
複数段の足受け１５は、内槽底壁７ａを、断面視三角形状の山形突起２８を浴槽左右方向に成形し、該山形突起２８を浴槽前後方向に複数個連続させて成形してなる。複数段の足受け１５は、前・中・後足受け１５ａ・１５ｂ・１５ｃである。更に具体的には、前・中・後山形突起２８ａ・２８ｂ・２８ｃである。
【００１５】
内槽底壁７ａの裏部の所定位置に気泡板１９が設けられる。気泡板１９に設けられるエアー口１８にはブロアー６に繋がる配管２１が接続される。
内槽底壁７ａから左側壁７ｃに亘たる所定位置にヒーター１６、ヒーター１６をカバーするヒーターカバー１７が設けられる。
【００１６】
内槽後側壁は背凭れ壁７ｄであり、該背凭れ壁７ｄは前方へ進む程下がるように傾斜（＝後傾）している。患者をリクライニング姿勢に支持する。
【００１７】
背凭れ壁７ｄは内槽底壁７ａの位置から浴槽上縁より上に若干突出した位置まであり、その突出した部分に枕２３が一体的に成形される。即ち、枕２３は、浴槽２の後部上部にあって、背凭れ壁７ｄを上方に延長し延長端を折り返して側面視山形に突起させ、該突起を浴槽左右方向に延在させてなる。
【００１８】
背凭れ壁７ｄに後ノズル２４ｂが、内槽７の、前・左・右側壁７ｂ・７ｃ・７ｅにそれぞれ前・左・右ノズル２４ａ・２４ｃ・２４ｅが設けられる。循環ポンプ１０の吸入口１０ａは内槽７の吸込口２５に連通され、循環ポンプ１０の吐出口１０ｂは、分岐管２６を介して前記各ノズル２４に連通される。ノズル２４は、内槽７から取り入れた湯を循環して内槽７へ噴出させるものである。
【００１９】
内槽７の左側壁７ｃの、下部にはヒーター１６が設けられ、上部にはオーバーフロー部２７、下部から上部に亘ってヒーターカバー１７が設けられる。
【００２０】
図７に示すように給湯用ホースを差し込む給湯用ホース差込み口５は、浴槽２の上面にホース径より若干大きい外穴２９を開け、この外穴２９に同心円となるように、前記ホース径より若干小さい内穴３０が開けられた可撓性部材でなるホース止め板３１を、前記外穴２９の周囲の浴槽２に止着して構成される。ホース止め板３１は内穴３０に挿入された前記給湯用ホースが容易には抜けないように摩擦抵抗を加える。給湯用ホース差込み口５の下に給湯路２０が形成され、給湯用ホース差込み口５に差し込まれたホースから出る湯は給湯路２０を流れて内槽７に流入する。
【００２１】
メインパネル３を図５に示しており、該メインパネル３には、噴流スイッチ３２、気泡スイッチ３３、ヒータースイッチ３４、ノズル選択スイッチ３５、ノズル２４を開閉するノズル入切スイッチ３６、噴流作動を連続とするか長い間欠とするか短い間欠とするかを選択するモード切替スイッチ３７、治療時間及び槽内温度を設定する設定決定スイッチ３８、治療温度を設定するか槽内温度を設定するかの選択をする切替スイッチ３９、設定数値を大きくするプラススイッチ４０、設定数値を小さくするマイナススイッチ４１等のスイッチが配設される。更に、治療時間表示器４２、槽内温度表示器４３が配設される。
【００２２】
図６に配管系統図を示している。循環ポンプ１０の吐出口１０ｂは分岐管２６に連通され、分岐管２６から各電磁弁４４を介して各ノズル２４に配管２１が接続される。更に、分岐管２６には強制排水バルブ４５が接続される。
【００２３】
強制排水バルブツマミ９に隣接して、強制排水バルブツマミ９によって作動するリミットスイッチ４６が設けられる。強制排水バルブツマミ９を回し始めると強制排水バルブ４５が開き始めると同時にリミットスイッチ４６が導通し、循環ポンプ１０が回動し強制排水が行なわれる。強制排水バルブ４５の回動程度（＝強制排水バルブ４５の開度）を、施設の排水能力に合わせて適宜調節する。図４に示す強制排水バルブツマミ９を左方へ回転させる程に強制排水量は多くなる。
【００２４】
内槽底壁７ａには、フィルター４７、温度センサ４８、水圧を測定して水量を測る水位センサ４９及び気泡板１９が設けられる。前記フィルター４７には、循環ポンプ１０及び自然排水バルブ１３が接続される。
【００２５】
内槽底壁７ａには排水口５０が開口され、該排水口５０には気泡排水バルブ１４が接続される。
【００２６】
噴流量調節バルブ４の一端は外気に開放され、他端は各逆止弁５１を介して各ノズル２４に配管接続される。噴流量調節バルブ４を閉めるとノズル２４から湯のみの噴流が噴出し、該バルブ４を開けるとノズル２４から気泡混じりの噴流が噴出する。
尚、全身浴装置１は、循環ポンプ１０で浴槽２内の湯を定期的に攪拌すると共に、浴槽２内に固着された温度センサ４８及び側壁温度センサ５４にて浴槽２内の湯温を測定し、浴槽２内の湯が設定された温度に維持されるようヒーター１６のＯＮ／ＯＦＦ制御を行っている。
図２中、５３は滑り止め突起、５５は気泡口、図４中、５２は電源スイッチ、図６中、５４は側壁温度センサである。
【００２７】
第１実施例を使用する際は、先ず、給湯用の前記ホースを給湯用ホース差込み口５に差し込み止める。前記ホースから湯を浴槽２へ給湯をする。浴槽２に湯を満たす。
【００２８】
患者が浴槽２に入る。患者が足裏及び踵を足受け１５に当てる。足を突っ張り、浴槽２内へのずり落ちを防ぐ。前・中・後足受け１５ａ・１５ｂ・１５ｃの各足受け１５の内適宜都合のよい足受け１５に足を当てる。
リクライニング姿勢になった患者は、頭を背凭れ壁７ｄに一体的に設けられた枕２３に頭を乗せる。枕で患者の頭を安定に支持する。
循環ポンプ１０を始動して、浴槽２内の湯をノズル２４から浴槽２内へ噴流し循環させ、患者に渦流浴治療を施す。噴流量調節バルブ４を操作して、噴流量を調節する。
【００２９】
入浴（＝温浴治療）を終わった後、浴槽２の上部に設けられた強制排水バルブツマミ９を回し、湯を排水する。強制排水バルブツマミ９を左方へ回し始めた直後に、循環ポンプ１０が回動する。強制排水バルブツマミ９を左方へ回して行けば、強制排水バルブツマミ９が徐々に開いていき、強制排水量が増える。好適な排水量に設定し排水する。
【実施例２】
【００３０】
図８に示す本発明の実施例２は、実施例１の複数段の足受け１５を複数個の突起条２２で構成したものとしている。
即ち、実施例２の突起条２２は、内槽底壁７ａ上に、頂部が断面視逆Ｕ字形状とされた突起を浴槽左右方向に形成し、該突起条２２を浴槽前後方向に複数個適宜な間隔を空けて突設して複数段になしている。患者が足裏の土踏まず部分を突起条２２に当てる。足を突っ張り、浴槽２内へのずり落ちを防ぐ。身長や病状に合わせて、前・中・後突起条２２ａ・２２ｂ・２２ｃの各突起条２２の内適宜都合のよい突起条２２を選び足を当てる。
【産業上の利用可能性】
【００３１】
本発明の足受け付き全身浴装置は、身体の上下肢に障害や疾病を持つ患者の上下肢部分を温浴治療するために利用される。
【図面の簡単な説明】
【００３２】
【図１】本発明の第１実施例の左側面図である。
【図２】本発明の第１実施例の平面図である。
【図３】本発明の第１実施例の背面図である。
【図４】本発明の第１実施例に係る強制排水バルブツマミを示す図である。
【図５】本発明の第１実施例に係るメインパネルを示す図である。
【図６】本発明の第１実施例の配管系統図である。
【図７】本発明の第１実施例の給湯用ホース差込み口を示す断面図である。
【図８】本発明の第２実施例を示す図である。
【符号の説明】
【００３３】
１    全身浴装置
２    浴槽
７ｄ    背凭れ壁
１５    足受け
２２    突起条
２３    枕
２８    山形突起
【図１】
2005052518.tif 000003
【図２】
2005052518.tif 000004
【図３】
2005052518.tif 000005
【図４】
2005052518.tif 000006
【図５】
2005052518.tif 000007
【図６】
2005052518.tif 000008
【図７】
2005052518.tif 000009
【図８】
2005052518.tif 000010